(57)【特許請求の範囲】
【請求項１】
振り子と、前記振り子の揺動に応じて点灯する光源とを備えた振り子装置において、
前記振り子には光を透過する透光部を設け、
前記光源は、前記透光部の揺動域後方から光をもたらすとともに、前記透光部が当該光源の正面を通過する際に点灯することを特徴とする振り子装置。
【請求項２】
前記振り子を駆動する振り子駆動回路を備え、前記光源は、前記振り子駆動回路にトランジスタを介して接続したことを特徴とする請求項１記載の振り子装置。
【請求項３】
前記透光部には、少なくとも一枚の回折格子板を設けたことを特徴とする請求項１又は２記載の振り子装置。
【請求項４】
前記光源と前記透光部との間には、前記光源の光を反射する反射鏡を介在したことを特徴とする請求項３記載の振り子装置。
【請求項５】
請求項１乃至４のいずれか記載の振り子装置を備えたことを特徴とする時計。
【発明の詳細な説明】
【０００１】
【発明の属する技術分野】
本発明は、振り子と、振り子の揺動に応じて点灯する光源とを備えた振り子装置に関する。
【０００２】
【従来の技術】
従来、時計等に用いられる振り子装置としては、例えば実開昭６１−１７６４８６号に記載されたもののように、振り子の揺動に応じて点灯する光源を備えたものが知られている。
【０００３】
同号に記載された振り子装置は、振り子の駆動と光源の点灯とを一つの回路にて同時に行うものであり、振り子や文字盤等に設けた光源を、振り子が所定の位置にきたときに点灯するように構成されている。
【０００４】
【発明が解決しようとする課題】
ところで、前述したような振り子装置については、見た目の面白さや美しさが重要視されており、装飾性の点で、より印象的な動作が得られる新たな構成が望まれている。
【０００５】
そこで本発明は、こうした現状に鑑み、装飾性に優れた振り子装置を提供することを目的としている。
【０００６】
【課題を解決するための手段】
本願第１請求項に記載した発明は、振り子と、前記振り子の揺動に応じて点灯する光源とを備えた振り子装置において、前記振り子には光を透過する透光部を設け、前記光源は、前記透光部の揺動域後方から光をもたらすとともに、前記透光部が当該光源の正面を通過する際に点灯する構成の振り子装置であり、このような構成によると、振り子の揺動に伴い、振り子の透光部がチカチカと明滅して見えることから、振り子の揺動及び光源の点灯からなる趣向が一層向上され、その結果、装飾性に優れた振り子装置が得られる。
【０００７】
本願第２請求項に記載した発明は、請求項１において、前記振り子を駆動する振り子駆動回路を備え、前記光源は、前記振り子駆動回路にトランジスタを介して接続した構成の振り子装置であり、このような構成によると、振り子の駆動と光源の点灯とが、一つの回路にて同時に行われ、それらが効率よく駆動及び点灯される。
【０００８】
本願第３請求項に記載した発明は、請求項１又は２において、前記透光部には、少なくとも一枚の回折格子板を設けた構成の振り子装置であり、このような構成によると、光源の光が、回折格子板を通し、光の模様として観察され、透光部の明滅が、より興味深いものとなる。
【０００９】
特に、そのような光の模様は、回折格子板を複数枚重ねることにより、適宜設定することが可能である。
【００１０】
ここで、回折格子板とは、細かなスリットや溝からなる平面格子が形成された透光牲を有するシート或いは板材である。光源の光は、これらのスリットや溝で回折され、回折された多数の光が互いに干渉することにより、例えば複数の点像となる。
【００１１】
本願第４請求項に記載した発明は、請求項３において、前記光源と前記透光部との間には、前記光源の光を反射する反射鏡を介在した構成の振り子装置であり、このような構成によると、光源と回折格子板との間隔が効率よく設定される。
【００１２】
すなわち、回折格子板を通して観察される光の模様は、回折格子板と光源との距離にも影響するので、仮に、光源から回折格子板へ光を直進させると、それらの間隔を設定するうえで、装置の大型化を招く場合がある。しかし本発明では、光源と回折格子との間に反射鏡を介在することにより、それらの配置の自由度が確保され、そのような不都合が確実に回避される。
【００１３】
本願第５請求項に記載した発明は、請求項１乃至４のいずれか記載の振り子装置を備えた構成の時計であり、このような構成によると、時計の外観がより面白く構成される。
【００１４】
【発明の実施の形態】
以下に、本発明の具体例を図面に基づいて詳細に説明する。
【００１５】
図１乃至図２に示すように、本例の振り子装置１は、時計（全体は図示せず）に設けられた基板２００に、振り子３００を配置してなるものである。
【００１６】
基板２００には、振り子３００を支持する支軸２１０を設けるとともに、振り子３００の基端には、支持軸２１０に係止される係止部３１０を設けている。
【００１７】
振り子３００は、その先端に振り玉３２０を有し、この振り玉３２０の中央には、光を透過する円形状の透光部３３０を設けている。
【００１８】
本例の透光部３３０は、振り玉３２０に形成した丸孔に、スモーク状の着色を施した透明な板材を嵌め込んで構成している。
【００１９】
また、振り玉３２０には、振り子３００駆動用の磁石３４０を設けるとともに、その下部には、磁石３４０に作用する振り子駆動回路４００を設けている。
【００２０】
一方、基板２００の要所には孔部２２０を設けており、この孔部２２０には、振り子３００の揺動に応じて点灯する光源５００を装着している。
【００２１】
本例の光源５００は、振り子駆動回路４００に接続した発光ダイオードであり、透光部３３０の揺動域後方から光をもたらすとともに、透光部３３０がその正面を通過する際に点灯するように構成している。
【００２２】
図３に示すように、振り子駆動回路４００は、電源４１０に接続された駆動コイル４２０及び検出コイル４３０を備え、振り子３００の揺動時においては、磁石３４０が振り子駆動回路４００の上部を通過する際に、検出コイル４３０に誘起電圧を発生する。そして、検出コイル４３０に誘起電圧が発生すると、駆動コイル４２０には電流が流れ、駆動コイル４２０が磁石３４０を反発することにより、振り子３００を加勢して駆動する。
【００２３】
また、同図に示すように、光源５００は、振り子駆動回路４００に対し、第１トランジスタ４４０、及び第２トランジスタ４５０を介して接続しており、光源５００は、駆動コイル４２０に電流が流れている間、点灯する。
【００２４】
すなわち、検出コイル４３０に誘起電圧が発生すると、第１トランジスタ４４０が導通して、駆動コイル４２０に電流が流れるとともに、第１トランジスタ４４０の端子が低レベルに落ちて、第２トランジスタ４５０が導通する。従って、電源４１０より光源５００に電流が流れ、光源５００が点灯する。
【００２５】
このような構成によると、振り子３００は駆動回路４００にて揺動し、光源５００は、その正面を透光部３３０が通過する際に点灯する。つまり、透光部３３０は、磁石３４０が駆動回路４００の上部となる位置において、光源５００の光で後方から照らされることにより、輝いて見える。
【００２６】
尚、本例の振り子装置１は、時計の振り子として用いたのであるが、このような振り子装置１の構成は、例えば看板や、ショーウィンドウのディスプレイ、室内の置き飾り等にも利用することができる。
【００２７】
また、より複雑な動作を得るには、振り子を複数設けたり、一つの振り子に対して複数の透光部や複数の光源を設けたりしてもよい。
【００２８】
以上説明したように、本例の振り子装置によると、振り子には光を透過する透光部を設け、光源は、透光部の揺動域後方から光をもたらすとともに、透光部が当該光源の正面を通過する際に点灯するので、振り子の揺動に伴い、振り子の透光部がチカチカと明滅して見えることから、振り子の揺動及び光源の点灯からなる趣向を一層向上することができ、その結果、装飾性に優れた振り子装置を得ることができる。
【００２９】
また、本例の振り子装置によると、振り子を駆動する振り子駆動回路を備え、光源は、振り子駆動回路にトランジスタを介して接続したので、振り子の駆動と光源の点灯とを、一つの回路にて同時に行うことができ、それらを効率よく駆動及び点灯することができる。
【００３０】
また、本例の時計は、かかる振り子装置を備えたものであり、その外観をより面白く構成することができる。
【００３１】
次に、本発明の他の具体例を図４乃至図６を用いて説明する。
【００３２】
本例の振り子装置１は、透光部３３０に一枚の回折格子板３３１、又は複数枚の回折格子板３３１，３３２を設けたものである。尚、その他の基本的な構成は、前述した具体例と同様であるので、共通する部材には同一の符号を付すとともに、その説明を省略する。
【００３３】
図４に示すように、本例の回折格子板３３１は、後方から照射された光源５００の光を、複数の点像とするものであり、前述したスモーク状の着色を施した透明な板材に対し、その前面又は裏面に設けている。
【００３４】
或いは、前記透明な板材は、透光部３３０の丸孔に回折格子板３３１を張ることにより、省略してもよい。
【００３５】
更には、図５に示すように、複数枚の回折格子板３３１，３３２を重ねることにより、その模様を適宜設定してもよい。
【００３６】
また、このような回折格子板３３１，３３２による模様は、光源５００との距離に影響することから、光源５００と透光部３３０との間隔を大きく設定する場合には、図６に示すように、光源５００と透光部３３０との間に、光源５００の光を反射する反射鏡６００を介在し、反射鏡６００で反射した光を基板２００の孔部２２０から発射するように構成する。仮に、光源５００と透光部３３０との間隔が非常に狭いと、回折格子板３３１，３３２を通して見える複数の点像が、狭い範囲に寄り集まって見えることとなるが、同図の構成によれば、そのような点像の広がりを比較的大きく設定することができる。
【００３７】
しかるに、光源５００と透光部３３０との間に反射鏡６００を介在することにより、それらの配置を適宜設定し、振り子装置１の不要な大型化を回避している。
【００３８】
尚、このように反射鏡６００を介在する場合において、光源５００の正面とは、すなわち光源５００の光を発射する孔部２２０の正面である。
【００３９】
以上説明したように、本例の振り子装置によると、透光部には、少なくとも一枚の回折格子板を設けたので、光源の光を、回折格子板を通し、光の模様として観察することができ、透光部の明滅を、より興味深いものにすることができる。
【００４０】
特に、そのような光の模様は、回折格子板を複数枚重ねることにより、適宜設定することができる。
【００４１】
また、本例の振り子装置によると、光源と前記透光部との間には、前記光源の光を反射する反射鏡を介在した構成の振り子装置であり、このような構成によると、光源と回折格子板との間隔を効率よく設定することができる。
【００４２】
すなわち、回折格子板を通して観察される光の模様は、回折格子板と光源との距離にも影響するので、仮に、光源から回折格子板へ光を直進させると、それらの間隔を設定するうえで、装置の大型化を招く場合がある。しかし本発明では、光源と回折格子との間に反射鏡を介在することにより、それらの配置の自由度を確保することができ、そのような不都合を確実に回避することができる。
【００４３】
【発明の効果】
本願第１請求項に記載した発明は、振り子と、前記振り子の揺動に応じて点灯する光源とを備えた振り子装置において、前記振り子には光を透過する透光部を設け、前記光源は、前記透光部の揺動域後方から光をもたらすとともに、前記透光部が当該光源の正面を通過する際に点灯する構成の振り子装置であり、このような構成によると、振り子の揺動に伴い、振り子の透光部がチカチカと明滅して見えることから、振り子の揺動及び光源の点灯からなる趣向を一層向上することができ、その結果、装飾性に優れた振り子装置を得ることができる。
【００４４】
本願第２請求項に記載した発明は、請求項１において、前記振り子を駆動する振り子駆動回路を備え、前記光源は、前記振り子駆動回路にトランジスタを介して接続した構成の振り子装置であり、このような構成によると、振り子の駆動と光源の点灯とを、一つの回路にて同時に行うことができ、それらを効率よく駆動及び点灯することができる。
【００４５】
本願第３請求項に記載した発明は、請求項１又は２において、前記透光部には、少なくとも一枚の回折格子板を設けた構成の振り子装置であり、このような構成によると、光源の光を、回折格子板を通し、光の模様として観察することができ、透光部の明滅を、より興味深いものにすることができる。
【００４６】
特に、そのような光の模様は、回折格子板を複数枚重ねることにより、適宜設定することができる。
【００４７】
本願第４請求項に記載した発明は、請求項３において、前記光源と前記透光部との間には、前記光源の光を反射する反射鏡を介在した構成の振り子装置であり、このような構成によると、光源と回折格子板との間隔を効率よく設定することができる。
【００４８】
本願第５請求項に記載した発明は、請求項１乃至４のいずれか記載の振り子装置を備えた構成の時計であり、このような構成によると、時計の外観をより面白く構成することができる。
【図面の簡単な説明】
【図１】本発明の具体例に係り、振り子装置を示す正面図である。
【図２】本発明の具体例に係り、振り子装置を示す側面図である。
【図３】本発明の具体例に係り、振り子駆動回路の回路図である。
【図４】本発明の具体例に係り、回折格子板の説明図である。
【図５】本発明の具体例に係り、回折格子板の説明図である。
【図６】本発明の具体例に係り、振り子装置を示す側面図である。
【符号の説明】
１    振り子装置
２００    基板
２１０    支軸
２２０    孔部
３００    振り子
３１０    係止部
３２０    振り玉
３３０    透光部
３３１    回折格子板
３３２    回折格子板
３４０    磁石
４００    振り子駆動回路
４１０    電源
４２０    駆動コイル
４３０    検出コイル
４４０    第１トランジスタ
４５０    第２トランジスタ
５００    光源
６００    反射鏡
【図１】
0003602999.tif 000002
【図２】
0003602999.tif 000003
【図３】
0003602999.tif 000004
【図４】
0003602999.tif 000005
【図５】
0003602999.tif 000006
【図６】
0003602999.tif 000007